Podtech/llm-jp-corpus-v4-ja_patent huggingface dataset:
(57)【要約】【課題】  気持ちよく着用でき、足の五本指に対応する各指袋にスムーズに着脱可能な五本指靴下を提供する。【解決手段】  足の五本指に対応する各指袋を爪先側に設けた五本指靴下１であって、前記各指袋３の形状を足の第一指、第二指、第三指、第四指及び第五指の各指に対応するサイズの筒状に保持できるように、各指袋３に形状記憶加工又は形状安定加工を施したり、各指袋３の縫製時に、通常指袋３の形成に用いられる繊維に形状記憶繊維又は金属製繊維を織り交ぜたりする。【選択図】図１
0003211891.tif 000002
【実用新案登録請求の範囲】
【請求項１】
足の五本指に対応する各指袋を爪先側に設けた五本指靴下であって、
前記各指袋の形状を各足の指に対応するサイズの筒状に保持するようにしたことを特徴とする五本指靴下。
【請求項２】
前記各指袋は、形状記憶加工又は形状安定加工を施して前記筒状を保持するようにしたことを特徴とする請求項１に記載の五本指靴下。
【請求項３】
前記各指袋は、形状記憶繊維又は金属製繊維を含んで縫製し、前記筒状を保持するようにしたことを特徴とする請求項１に記載の五本指靴下。 
【考案の詳細な説明】
【技術分野】
【０００１】
本考案は、足の五本指に夫々対応する指袋を爪先側に設け、当該五本指の各指袋からの着脱を容易にする五本指靴下に関する。
【背景技術】
【０００２】
従来、水虫予防や防臭等を目的として、足の五本指に夫々対応する指袋を設けた五本指靴下が提供されている。当該五本指靴下は、一般的に、足の各指を対応する指袋に夫々挿入するのが困難であり、特に、五本指靴下の洗濯後には各指袋が収縮するため、さらにその挿入が困難になってしまう。また、着用した五本指靴下を脱ぐ際にも、足の各指に沿って各指袋が裏返ってしまい、着用可能に元の状態に戻すのも面倒であるという問題があった。
【０００３】
そんな中、足の五本指をそれぞれ収容する五つの指収容部を備えた靴下類であって、各指収容部の少なくとも挿入口付近に所定の弾性を有するコーティング剤をコーティングした層を指収容部の配列方向に沿ってライン状に設けたことにより、挿入口付近を適度に剛性化でき、足の五本指を各指収容部に同時かつスムーズに挿入することができる靴下類が提供されている（特許文献１）。
【先行技術文献】
【特許文献】
【０００４】
【特許文献１】実用新案登録第３２０４７８８号公報
【考案の概要】
【考案が解決しようとする課題】
【０００５】
しかしながら、特許文献１に記載の靴下類では、ライン状に設けたコーティング層が足の各指の付け根付近に当接し、着用時、敏感な足裏に違和感をおぼえさせるだけでなく、靴下類の製造工程において、靴下類の編成ののちに前記コーティング層をコーティングする工程を要するため、シリコンゴム等のコーティングコストが余計に掛かるという問題があった。さらに、各指袋には剛性化のためのコーティング層がコーティングされておらず、従来の五本指靴下と同様の問題が生じてしまう。
【０００６】
そこで、本考案は、気持ちよく着用でき、足の五本指に対応する各指袋にスムーズに着脱可能な五本指靴下を提供することを課題とした。
【課題を解決するための手段】
【０００７】
上記課題を解決するために、本考案は次のように構成した。すなわち、本考案に係る請求項１に記載の五本指靴下は、足の五本指に対応する各指袋を爪先側に設けた五本指靴下であって、前記各指袋の形状を各足の指に対応するサイズの筒状に保持するようにしたことを特徴としている。
【０００８】
また、請求項２に記載の五本指靴下は、各指袋が形状記憶加工又は形状安定加工を施して前記筒状を保持するようにしたことを特徴としている。
【０００９】
また、請求項３に記載の五本指靴下は、形状記憶繊維又は金属製繊維を含んで縫製し、前記筒状を保持するようにしたことを特徴としている。
【考案の効果】
【００１０】
本考案に係る五本指靴下によれば、各指袋を足の各指に対応するサイズの筒状に保持したことにより、違和感なく気持ちよく着用でき、足の各指を各足袋にスムーズに挿入して着脱することができる。これにより、高齢者であっても容易に五本指靴下を着用でき、また、介護者が要介護者に対して容易に五本指靴下を着用させることができる。
【図面の簡単な説明】
【００１１】
【図１】本考案に係る五本指靴下の構造を示す斜視図である。
【考案を実施するための形態】
【００１２】
以下、図面に基づいて本考案を具体的に説明する。まず、図１は、本考案に係る五本指靴下１の構成を示す斜視図である。五本指靴下１は、靴下本体２と、当該靴下本体２の足部爪先側に設けた足の各指に対応する指袋３とから構成されている。なお、本実施例において、五本指靴下１の靴下は、長短ソックス等の靴下のほか、パンティーストッキングをも含むものである。
【００１３】
靴下本体２は、側面視でく字型に屈曲した一般的な靴下本体２であって、一方の爪先側とは反対の他端には足を挿入するための挿入孔と、前記屈曲した先端側に踵部とが形成されている。また、当該挿入孔の周縁部は、五本指靴下１の着用時に、当該五本指靴下１の下方へのズレを防止すべく伸縮性素材を含んで縫製されている。
【００１４】
前記指袋３は、足の第一指乃至第五指の各指に対応する第一指袋３ａ、第二指袋３ｂ、第三指袋３ｃ、第四指袋３ｄ及び第五指袋３ｅから構成されており、各指袋３の形状が各指に対応するサイズの筒状に保持するように形成されている。
【００１５】
具体的には、各指袋３の縫製後に、所定の薬剤及びスチームの噴射による周知の形状記憶（登録商標）加工又は形状安定加工の処理を施したり、各指袋３の縫製時に、通常指袋３の形成に用いられる繊維に形状記憶繊維又は金属製繊維を織り交ぜたりすることにより、各指袋３の形状が足の各指に対応するサイズの筒状に保持するように形成する。なお、当該各指袋３は、その筒状の指先側が、一般的な五本指靴下と同様に閉口している。
【００１６】
当該五本指靴下１によれば、各指袋３を足の各指に対応するサイズの筒状に保持したことにより、違和感なく気持ちよく着用でき、足の各指を各指袋３にスムーズに挿入して着脱することができる。また、当該五本指靴下１を脱ぐ際に各指袋３が裏返ったとしても、すぐに着用可能に元の状態に返すことができる。さらに、当該五本指靴下１を洗濯しても、各指袋３が収縮することなく前記筒状を保持するため、足の各指を各指袋３にスムーズに挿入し着脱することができる。
【産業上の利用可能性】
【００１７】
上記実施例では、五股の五本指靴下１を用いて説明したが、二股乃至四股等に爪先側を形成し、一つの指袋３に複数の足の指を挿入するような靴下であっても、各指袋３を夫々対応するサイズの筒状に保持することもできる。
【符号の説明】
【００１８】
１    五本指靴下
２    靴下本体
３    指袋
３ａ  第一指袋
３ｂ  第二指袋
３ｃ  第三指袋
３ｄ  第四指袋
３ｅ  第五指袋
【図１】
0003211891.tif 000003
(57)【要約】      （修正有）【課題】物品収納保管と移動、搬送、物品取扱いの利便性を図り、各室内空間利用をすすめ床面の有効利用を図ることができる物品を収納保管する棚状体、または、箱状体を提供する。【解決手段】物品を収納保管する棚状体、または、箱状体において、棚状体１、または、箱状体の左右に保持軸２、２’を設け、保持軸を伝導装置に回転可能に設けるとともに、左右の保持軸を互いに偏心させ、手動または電動により伝導装置を動かすことにより、棚状体、または、箱状体の上下、左右、前後姿勢を保ち移動搬送が可能なことを特徴とする。【選択図】図１
0003211829.tif 000002
【実用新案登録請求の範囲】
【請求項１】
物品を収納保管する棚状体、または、箱状体において、棚状体、または、箱状体の上下、左右、前後姿勢を保ち移動搬送が可能なことを特徴とする物品を収納保管する棚状体、または、箱状体。
【考案の詳細な説明】
【技術分野】
【０００１】  物品を収納保管する棚状体、または、箱状体において、棚状体、または、箱状体の上下、左右、前後姿勢を保ち移動搬送が可能なことを特徴とする物品を収納保管する棚状体、または、箱状体。以後、棚状体、または、箱状体を代表して棚と記し表示する。
【背景技術】
【０００２】  従来、通常の物品収納保管体は定置方式が主である。本棚、本箱、箪笥の引き出し、食器棚等、定位置に置いているものが多く、即刻、簡便、に移動搬送を目的としているものは少ない。
【考案の概要】
【考案が解決しようとする課題】
【０００３】  本考案は物品収納保管と移動、搬送、物品取扱いの利便性を図り、各室内空間利用をすすめ床面の有効利用を図る。書類、資料、物品の増加に応じ、移動、搬送が簡便な棚を考案、各室内上部空間利用をすすめる当たり、伝道装置を棚の移動に利用。必要書類、物品を手元に引き寄せて使用する。また、階層が多くなっているビル事務所での書籍書類の保管、搬送、各階層における書籍書類の共有化、各家庭でも同じく、なお、高齢化、体力の減少、歩行難にこたえる。なお、地震時、室内や建物内高所に置く物品の散乱を防ぐ。また、水害、津波対策として、物品を高所に保管することを可能にする。
【課題を解決するための手段】
【０００４】  動力伝導にもちいられている伝道装置、ローラーチェイン、伝道ベルト、ワイヤーロープを棚の搬送に利用することが可能である。それらの代表として、以後、ローラーチェインを利用する場合について記し示す。例えば上下方向伝導ローラーチェインを利用する場合、利用者の手が届かない範囲の上下部に物品を収納保管し、必要に応じローラーチェイン伝導装置を利用して必要書類棚等を手元に引き寄せて使用する。ローラーチェイン動は、手動、または、電動による。したがって、棚は、手扱い、握り下げ持ちを比較的容易にする機能、構造が必要であり、伝導装置による搬送を比較的容易にする機能構造の棚が必要である。
【考案の効果】
【０００５】  本、棚利用による効果は多岐にわたる。その代表として以下に記す。その第１番にあげたい事項。水害、津波対策として高所に物品を保管収納、平時には手もとに置く。なお、箱状体を用いるとき、地震時、高所置物の散乱を防ぐ。その２、官公署における書籍書類の利用の便利化と資料収納保管。その３、企業事務所、物品製造場における書籍書類の利用の便利化と資料収納保管。その４、物品の加熱乾燥。その５、書店、商店、工場、事務所、住宅において、室内上部空間有効利用、上下階層間の物品の搬送。その６、病院におけるカルテの収納保管取り扱い。その７、多層ビル各階層での必要書籍書類の選び出し入れ利用を容易にする。その８、円形搬送装置利用も可能である。
【図面の簡単な説明】
【０００６】  図面の簡単な説明を行うにあたり、棚形状と、伝導装置を利用するばあいついて、縦上下動方式を示して説明する。
【図１】本考案において、棚の図である。
【図２】本考案において、伝道装置利用に関する図である。
【考案を実施するための形態】
【０００７】  以下、本装置の実施の形態を図１から図２に示して説明する。このさい、上下方向伝導装置利用を例とする。
【実施例】
【０００８】  図１は、物品を収納保管する棚を示す。１の棚の左側上方に２と右側下方に２′の棚を保持、または、手提げをする棚保持軸を設ける。図２は、ローラーチェイン伝道装置を利用する場合を示す。１の棚に設けている棚保持軸２を、図に示すとおり、３のローラーチェインのプレートに通す。そのさい、軸とチェインプレート間において、軸は回転可能とする。１の棚に設けている棚保持軸２′を、図に示すとおり、４のローラーチェインのプレートに通す。そのさい、軸とチェイン間はおいてね軸は回転可能とする。３と４のローラーチェインは、棚の搬送用である。５と５′、および、６と６′はローラーチェイン駆動スプロケットである。ここにおいて、棚保持軸の２と２′、および、ローラーチェインスプロケットの５、５′、６と６′、ならびに。ローラーチェインの３と４は、図に示すとおり、Ａの長さで偏心。それにより、棚の上下前後方向姿勢が保持される。ローラーチェイン動は、手動、または、電動による。
【符号の説明】
【０００９】１        棚
２、２′  棚保持軸  または、手提げ軸。
３        左側搬送用ローラーチェイン
４        右側搬送用ローラーチェイン
５、５′、左側ローラーチェイン用スプロケット
６、６′  右側ローラーチェイン用スプロケット
Ａ        ２と２、および、３と４、ならびに、５と６の偏心長さ。
【図１】
0003211829.tif 000003
【図２】
0003211829.tif 000004
【手続補正書】
【提出日】平成29年5月13日(2017.5.13)
【手続補正１】
【補正対象書類名】実用新案登録請求の範囲
【補正対象項目名】全文
【補正方法】変更
【補正の内容】
【実用新案登録請求の範囲】
【請求項１】
物品を収納保管する棚状体、または、箱状体において、棚状体、または、箱状体の左右に保持軸を設け、保持軸を伝導装置に回転可能に設けるとともに、左右の保持軸を互いに偏心させ、手動または電動により伝導装置を動かすことにより、棚状体、または、箱状体の上下、左右、前後姿勢を保ち移動搬送が可能なことを特徴とする物品を収納保管する棚状体、または、箱状体。
(57)【要約】      （修正有）【課題】排尿時には素早く取り出すことが出来非常に楽になるステテコ又は下着のパンツを提供する。【解決手段】パンツの前面を開閉する「前立て」を「股下」から取り付けることによりパンツは「股下」から大きく開口出来る構造のパンツとなり、「股下」から開口するステテコ又は下着のパンツも「股下」から大きく開口出来る構造となる。それにより排尿時に取り出すのが非常に楽になる。【選択図】図２
0003211827.tif 000002
【実用新案登録請求の範囲】
【請求項１】
パンツの前面を開閉する「前立て」を「股下」から取り付ける。
現在のパンツは前面を開閉する「前立て」が「股上」の途中から付けられている。本考案のパンツは「前立て」を「股下」から取り付ける。これによりパンツは「股下」から大きく開口出来る構造のパンツとなる。
「股下」から開口するステテコ、下着のパンツ。
【考案の詳細な説明】
【考案の背景】
【０００１】私達が普段着用しているパンツ（ズボン、スラックスなど）は男性が便器の前に立って排尿する際、パンツの前部つまり「前立て」を開いて「その体」を取り出して排尿しますが、現在のパンツはその構造上素早くスムーズには取り出しづらく、排尿できる姿勢になるまでに時間がかかります。排尿障害のない男性にはこんなことは気にもしないことですが。
【０００２】排尿障害に悩む人は周知のとおり多いです。
２０１６年１２月１７日付、くまにち  ゆとあ（熊本日日新聞）記事より「頻尿や尿失禁などの症状を引き起こす過活動膀胱の患者は、日本で８００万人以上と推定されており、中でも４０歳以上の男女では８人に１人が症状を持っているといわれています。」
前立腺肥大による頻尿，過活動膀胱による切迫性尿意など、自分の意思ではコントロールできない、時間的に余裕がきかないこれらの症状は、私達の日常の生活のありようにも影響しています。
【０００３】しかも排尿障害は加齢によって誰にでもなるきわめて身近なものであります。私は急に起こる強い尿意をなんとか我慢してパンツの「前立て」を開きながらトイレに走ることは度々です。便器の前に立ち取り出すのに手間取って、パンツの中に漏らしてしまうことがあります。
【０００４】私達が普通パンツをはいている状態でパンツの前を開閉する「前立て」の位置は私達の「その体の位置」よりも体の上の方にずれています。つまり私達の「その体の位置」はパンツが開かれている所よりももっと下方になります。排尿するにはパンツの「前立て」を開き手を下方の「その体の位置」まで差し入れて上に引き出して排尿するわけです。
【考案の概要】
【考案が解決しようとする課題】
【０００５】私達がパンツの「前立て」を開いた時、そこに私達の「その体の位置」もあれば「その体」を取り出すのが容易です。そのように開閉の位置が下方から出来る構造、私達の「その体の位置」よりも下の方からパンツを開くことが出来たら「その体」を取り出すのは容易で、便器の前に立っても慌てなくてもよく安心感があります。【０００６】現行のパンツが「股上」の途中から「前立て」を作っているのに対し、私は「股下」から「前立て」を作り股下から上まで大きく開閉する「前立て」を持つ構造のパンツを考案しました。
【考案の効果】
【０００７】私は普段着のパンツのファスナーを外し、「股下」まで縫製の糸を解いて何とかファスナーを「股下」の位置から付け直してみました。ファスナーは短かくて寸足りずですが、排尿時に「その体」を取り出す感じはこれまでのパンツとは全く違います。パンツの前を開けばそこに「その体」があるのですから、これまでのように手を下の方まで差し入れてさぐってという感覚とは違います。また下着のステテコや下着のパンツも「股下」の方から開けばいいなと思います。【０００８】この改造パンツは継ぎはぎで体裁は悪く室内だけです。ジーパンも時にははきますが特に「前立て」が短いので開きが狭く排尿時は取り出すのに手間取ります。使うパンツが総て「股下」から大きく開けばいいのですが、現使用中のパンツの改造などで対応できるものではありません。
【図面の簡単な説明】
【０００９】
【図１】現在使用中のパンツです。パンツの前を開閉する「前立て」が「股上」の途中から取り付けられています。パンツの立体図と平面図で長ズボンと短パンツを表しています。パンツも使用中は体と同じ立体形です。
【００１０】
【図２】考案した改造のパンツです。パンツの前を開閉する「前立て」を「股下」から取り付けている構造のパンツです。パンツを下の方から大きく開くことが出来ます。
【図１】
0003211827.tif 000003
【図２】
0003211827.tif 000004
【手続補正書】
【提出日】平成29年3月10日(2017.3.10)
【手続補正１】
【補正対象書類名】実用新案登録請求の範囲
【補正対象項目名】全文
【補正方法】変更
【補正の内容】
【実用新案登録請求の範囲】
【請求項１】
パンツの前面を開閉する「前立て」を「股下」から取り付けることによりパンツは「股下」から大きく開口出来る構造のパンツとなり、「股下」から開口するステテコ又は下着のパンツも大きく開口出来る構造となる。
【手続補正書】
【提出日】平成29年5月19日(2017.5.19)
【手続補正１】
【補正対象書類名】実用新案登録請求の範囲
【補正対象項目名】全文
【補正方法】変更
【補正の内容】
【実用新案登録請求の範囲】
【請求項１】
パンツの前面を開閉する「前立て」を「股下」から取り付けることによりパンツは「股下」から大きく開口出来る構造のパンツとなり、「股下」から開口するステテコ又は下着のパンツも「股下」から大きく開口出来る構造となることを特徴とするステテコ又は下着のパンツ。
(57)【要約】      （修正有）【課題】移動搬送が比較的容易で、床面の有効利用が可能な収納体を形成する。【解決手段】物品を収納する棚状、箱状、または、容器状体（以後、物品を収納する棚状、箱状、または、容器状体を単に収納体と記す）において、収納体１をローラーチェイン５、６等の伝導装置の一部に取り付け、手動又は電動により伝導装置を動かす。【選択図】図２
0003211828.tif 000002
【実用新案登録請求の範囲】
【請求項１】
本考案は、物品を収納する棚状、または、箱状、および、容器状体（以後、物品を収納する棚状、または、箱状、および、容器状体を単に収納体と記す）において、収納体の移動搬送が比較的容易、可能な収納体に関する。
【考案の詳細な説明】
【技術分野】
【０００１】  本考案は、主として室内、または、建物内、および、物品を多く取り扱う諸施設における物品を収納する棚状、または、箱状、および、容器状体（以後、物品を収納する棚状、または、箱状、および、容器状体を単に収納体と記す）において、収納体の移動搬送が比較的容易、可能な収納体に関する。
【背景技術】
【０００２】  従来、通常の物品収納体は定置方式が主である。本棚、本箱、箪笥の引き出し、食器棚等、定位置に置いているものが多く、即刻、簡便、に移動搬送を目的としているものは少ない。
【考案の概要】
【考案が解決しようとする課題】
【０００３】  本考案は物品収納保管と移動、搬送、物品取扱いの利便性を図り、各室内空間利用をすすめ床面の有効利用を図る。書類、資料、物品の増加に応じ、移動、搬送が簡便な収納体を考案、各室内上部空間利用をすすめる当たり、一般の伝道装置を収納体移動に利用。必要書類、物品を手元に引き寄せて使用する。また、階層が多くなっているビル事務所での書籍書類の保管、搬送、各階層における書籍書類の共有化、各家庭でも同じく、なお、高齢化、体力の減少、歩行難にこたえる。なお、地震時、室内や建物内高所の物品の散乱を防ぐ。また、水害、津波対策として、物品を高所に保管することを可能にする。
【課題を解決するための手段】
【０００４】  一般に動力伝導にもちいられている伝道装置、ローラーチェイン、伝道ベルト、ワイヤーロープを収納体の搬送に利用することが可能である。それらの代表として、以後、ローラーチェインを利用する場合について記し示す。例えば上下方向伝導ローラーチェインを利用する場合、利用者の手が届かない範囲の上下部に物品を収納保管し、必要に応じ必要書類棚等を手元に伝導搬送して使用する。ローラーチェイン動は、手動、または、電動による。したがって、収納体は手扱い機能、構造が必要であり、伝導装置による搬送を比較的容易にする機能構造の収納体が必要である。
【考案の効果】
【０００５】本、収納体利用による効果は多岐にわたる。その代表と考えられる事項を以下に記す。その第１番にあげたい事項。水害、津波対策として高所に物品を保管収納、平時にはもとに置く。なお、地震時、高所置物の散乱を防ぐ。その２、特に官公署における書籍書類の利用の便利化と資料収納保管。その３、企業事務所、物品製造場における書籍書類の利用の便利化と資料収納保管。その４、物品の加熱乾燥。その５、書店、商店、工場、事務所、住宅において、室内上部空間有効利用、上下階層間の物品の搬送。その６、病院におけるカルテの収納保管取り扱い。多層ビル各階層での必要書籍書類の選び出し入れ利用を容易にする。その７、大型の装置では車の立体駐車装置、または、円形搬送装置も可能で観覧車。以上、多岐にわたる。
【図面の簡単な説明】
【０００６】  図面の簡単な説明を行うにあたり、伝導装置において、縦上下、横左右、円形状、斜め方式の代表として縦上下方式を示して説明。
【図１】本考案において、収納体の図である。
【図２】本考案において、伝道装置利用に関する図である。
【図３】本考案におけるローラーチェイン伝道装置を利用する場合、その、構造の参考図である。
【考案を実施するための形態】
【０００７】  以下、本装置の実施の形態を図１から図２に示して説明する。このさい、上下方向伝導装置利用を例とする。
【実施例】
【０００８】  図１は、物品を収納する棚状、または、箱状、および、容器状体の代表として棚状を示す。１の棚の上方に棚を保持、または、手提げをする軸２を設け、２の先端に３の金具を取り付け、金具の先端に収納体方向制御、または、手引き軸４を設ける。図２は、ローラーチェイン伝道装置を利用する場合を示す。１の収納体に設けている軸２をローラーチェイン５、５′に通し（軸とチェイン間は回転可能）、収納体方向制御軸４をローラーチェイン６、６′に通す（軸とチェイン間は回転可能）、５、５′のローラーチェインは、収納体搬送用であり、６、６′のローラーチェインは収納体の姿勢を保持する。収納体方向制御チェインである。すなわち、収納体が上昇、上部で旋回、下降，下部で旋回するさい、常に、収納体の上下、左右位置、すなわち、収納体の方向姿勢を保持するはたらきを行う。７、７′は、ローラーチェイン５、５′用のスプロケット、８、８′は、６、６′のローラーチェイン用スプロケットである。このさい、スプロケット７、７′と８、８′は偏心している。収納体方向姿勢を保持するためである。ローラーチェイン動は、手動、または、電動による。
【符号の説明】
【０００９】１        収納体
２        収納体保持軸  または、手提げ軸、または。紐掛け軸
３        金具
４        収納体方向制御軸、または、引手軸
５  、５′収納体搬送用ローラーチェイン
６  、６′収納体方向制御用ローラーチェイン
７  、７′収納体搬送用ローラーチェイン用スプロケット
８  、８′収納体方向制御用ロ−ラーチェイン用、偏心スプロケット
【図１】
0003211828.tif 000003
【図２】
0003211828.tif 000004
【図３】
0003211828.tif 000005
【手続補正書】
【提出日】平成29年5月13日(2017.5.13)
【手続補正１】
【補正対象書類名】実用新案登録請求の範囲
【補正対象項目名】全文
【補正方法】変更
【補正の内容】
【実用新案登録請求の範囲】
【請求項１】
物品を収納する棚状、箱状、または、容器状体（以後、物品を収納する棚状、箱状、または、容器状体を単に収納体と記す）において、収納体を伝導装置の一部に取り付け、手動又は電動により伝導装置を動かすことにより移動搬送な可能な収納体。
(57)【要約】      （修正有）【課題】ワカメのメカブカッターを提供する。【解決手段】平面上の刃体１の側面２に刃３を設けた。【選択図】図１
0003211830.tif 000002
【実用新案登録請求の範囲】
【請求項１】
刃体、平面の側面に片刃を設けた、ワカメのメカブカッター
【考案の詳細な説明】
【技術分野】
【０００１】本考案はメカブカッターの側面に刃を付けたメカブカッターに関するものである。
【背景技術】
【０００２】メカブカッターは私が考案したもので、従来のメカブカッターには側面に刃が付いていない。
【考案の開示】
【考案が解決しようとする課題】
【０００３】そのために以下の問題点があった。
（イ）メカブカッターその物で、若布の茎、及び葉を切除することができない。
（ロ）そのために必ず、他の刃物、包丁とかナイフが絶対に必要であった。
本考案は、それらの問題点を解決するためになされたものである。
【課題を解決するための手段】
【０００４】メカブカッターの刃体の側面に刃を設ける。右利き用は右側に左利き用は左側に刃を設ける。以上のような構成である。
【考案の効果】
【０００５】そのために、これまで必要としていた刃物の必要は１００％なくなった。
【考案を実施するための最良の形態】
【０００６】以下、本考案の実施の形態について説明する。
（イ）刃体（１）の側面（２）に刃（３）を設ける。
（ロ）刃体（１）の表側に片刃（４）で刃付けする。
【図面の簡単な説明】
【０００７】
【図１】本考案の平面図
【図２】本考案の斜視図
【図３】本考案の片刃、の断面図
【符号の説明】
【０００８】１  刃体
２  側面
３  側面の刃
４  片刃
５  刃先安全凸部
６  Ｕ字形の刃
７  クチガネ
８  柄
【図１】
0003211830.tif 000003
【図２】
0003211830.tif 000004
【図３】
0003211830.tif 000005
【手続補正書】
【提出日】平成29年5月22日(2017.5.22)
【手続補正１】
【補正対象書類名】実用新案登録請求の範囲
【補正対象項目名】全文
【補正方法】変更
【補正の内容】
【実用新案登録請求の範囲】
【請求項１】
平面上の刃体の側面に片刃を設けた、ワカメのメカブカッター。
(57)【要約】      （修正有）【目的】見る人を動的な面白さに誘い込み、更に、色彩の回転が生み出す変化も味わえる本体の両脇に風車をつけた凧を提供する。【構成】凧本体１の両脇外側の上下横枠３、８に縦方向に風車軸２を有する縦長の風車５をつける。風車の形は長方形、正方形、円、楕円等であり、一個又は数個を取り付ける。更にこれらの風車の表裏に色彩を施す。【選択図】図１
0003211825.tif 000002
【実用新案登録請求の範囲】
【請求項１】
凧本体の外部両脇に風車のついたもの。
【考案の詳細な説明】
【考案の詳細な説明】
この実用新案は、凧本体の外部両脇に長方形、正方形、円形、楕円等の形をした風車を１個又は数個をつけたものであり、更にその風車に色彩をほどこしたものである。従来の風車は、凧本体の内部中央付近にあり、その数は１個のみである。この両者の構造の違いが作用効果（空中に上がった時の様態）にも差異をつくっている。従来のものは、風車が回る面白さはあるが、それだけであって静的である。本考案の風車は、本体外部両脇に、ほぼ、上から下まで施されていてしかも、風車の表裏に色彩が施されている。従って、空中での様態は風車が本体の両脇で上から下まで回るので、見る人を動的な面白さに誘い込み、更に、色彩の回転が生み出すヴァリエイションもあじわえる。
【図面の簡単な説明】
【図１】本考案の斜視図
0003211825.tif 000003
【符号の説明】１、上端横枠（軽木材）２、風車（厚紙）３、縦枠（竹ヒゴ）４、下端横枠（軽木材）５、風車軸（竹ヒゴ）６、わん曲横桟（竹ヒゴ、５本）７、尾（薄紙）８、風車折り目９、凧糸１０、穴（風車軸通し）１１、本体（薄紙）、１２、穴あきビーズ＊各部位の接合は  糸、接着剤で固着する。
【図１】
0003211825.tif 000004
【図２】
0003211825.tif 000005
【図３】
0003211825.tif 000006
【手続補正書】
【提出日】平成28年12月16日(2016.12.16)
【手続補正１】
【補正対象書類名】実用新案登録請求の範囲
【補正対象項目名】全文
【補正方法】変更
【補正の内容】
【実用新案登録請求の範囲】
【請求項１】
凧本体の外部両脇にそれぞれ風車を設けたことを特徴とする凧。
【手続補正２】
【補正対象書類名】明細書
【補正対象項目名】全文
【補正方法】変更
【補正の内容】
【考案の詳細な説明】
本考案は凧本体の外部両脇に、図１のように縦長の風車を設け、更にその風車に色彩を施したものである。従来のものは中央部付近に丸窓を設けて、そこに丸型の風車をつけている。本考案のものは、空中に上がった時の様態は風車の大きく回る面白さと色彩が華やかに回る面白さはかくべつである。従来のものは、華麗であるがスケ−ルの大きさに物足りない。
【手続補正３】
【補正対象書類名】図面
【補正対象項目名】全図
【補正方法】変更
【補正の内容】
【図１】
0003211825.tif 000007
0003211825.tif 000008
【図３】
0003211825.tif 000009
【手続補正書】
【提出日】平成29年4月24日(2017.4.24)
【手続補正１】
【補正対象書類名】明細書
【補正対象項目名】全文
【補正方法】変更
【補正の内容】
【考案の詳細な説明】
【技術分野】竹ヒゴ，超軽木材，和紙、糸等を材料として製作する。作り方とその難易度は小学生中学年の生活力があれば十分こなせる。
【背景技術】手作りの範ちゅうに入り、１作にかかる時間は約２〜３時間だが、分業にすれば１作あたり３０分ぐらいで済む。
【図面の簡単な説明】
【図１】正面図
【図２】背面図
【図３】側面図
【図４】平面図
【符号の説明】１凧本体  ２風車軸  ３上端横棒  ４風車軸通し穴  ５風車（厚紙）  ６風車折り目  ７穴あきビーズ  ８下端横棒  ９凧尾  １０凧糸  １１凧骨  １２凧骨
【手続補正２】
【補正対象書類名】図面
【補正対象項目名】全図
【補正方法】変更
【補正の内容】
【図１】
0003211825.tif 000010
【図２】
0003211825.tif 000011
【図３】
0003211825.tif 000012
【図４】
0003211825.tif 000013
(57)【要約】      （修正有）【課題】小家族であっても適量食べ切ることを可能にし、土産品として持ち運びしやすい漬物包装体を提供する。【解決手段】漬物包装体４は、１から数枚の薄片状漬物を重ねた漬物片集合体を合成樹脂フィルムで真空包装した個別漬物包装体２が、５から２０個、紙または合成樹脂または木製の箱状包装体３に収納されて成る。【選択図】図２
0003211844.tif 000002
【実用新案登録請求の範囲】
【請求項１】
１から数枚の薄片状漬物を重ねた薄片状漬物集合体を合成樹脂フィルムで真空包装した個別漬物包装体５から２０個が紙または合成樹脂または木製の箱状包装体に収納されて成る漬物包装体。
【請求項２】
漬物がたくわん漬けまたはチーズいりたくわん漬けである請求項１の漬物包装体。
【考案の詳細な説明】
【技術分野】
【０００１】  本考案は、漬物包装体に関する。
【背景技術】
【０００２】  従来の漬物食品は、素材を分割することなくそのまま包装され、または、分割し小分けされていたとしても、今日、我が国に進展している小家族において、一度に全部食べきれない分量にて包装され、しばしば販売されている。
【考案の概要】
【考案が解決しようとする課題】
【０００３】  しかし、このように漬物食品が包装されている場合、開封し一度に食べきれずに保存した漬物食品は、空気に触れやすく、鮮度や風味を損ないやすい。この考案の課題は、いつでも新鮮で風味豊かな漬物食品を食することを可能とするため、小家族であっても適量食べ切ることが可能な漬物包装体を提供することである。また、お土産品として持ち運び容易で見栄え良い漬物包装体を提供することである。
【課題を解決するための手段】
【０００４】  本考案の漬物包装体は、１から数枚の薄片状漬物を重ねた薄片状漬物集合体を合成樹脂フィルムで真空包装した個別漬物包装体５から２０個が紙または合成樹脂または木製の箱状包装体に収納されて成る漬物包装体である。これにより上記課題を解決するものである。
【考案の効果】
【０００５】  本考案の漬物包装体は、漬物食品の挿入された小袋が複数個形成されているため、小家族であっても小袋を必要な数だけ開封して食べ切り、残りは新鮮で風味豊かな状態のまま保存でき、また、お土産品として持ち運び容易で見栄え良い漬物包装体を提供することが可能となる。
【図面の簡単な説明】
【０００６】
【図１】本考案の個別包装体を表した図である。
【図１】本考案の漬物包装体を表した図である。
【考案を実施するための形態】
【０００７】  図１および図２を参照しながら本考案の実施の形態について説明する。
本考案での個別漬物包装体は、１から数枚の薄片状漬物を少しずらして重ねた薄片状漬物集合体を合成樹脂フィルムで真空包装したものである。
薄片状漬物集合体に含まれる薄片状漬物は１から５枚が好ましい。本考案での漬物として、どんな漬物でも良いが、たくわん漬けおよびチーズいりたくわん漬けが好ましい。個別漬物包装体には切り込みを設け、開封しやすくするのが好ましい。本考案の漬物包装体は、上記個別漬物包装体５から２０個を紙または合成樹脂または木製の箱状包装体に斜めに重ねて収納したものである。収納する個別漬物包装体は持ち運びしやすいサイズと価格を考慮すれば、８から１２個が好ましい。また、斜めに重ねて収納した個別漬物包装体を合成樹脂緩衝シートで覆うことが見栄え上好ましい。
【０００８】  本考案の漬物包装体は、薄片状漬物が挿入された個別漬物包装体が複数個入っているため、小家族であっても必要な数だけ開封して食べ切り、残りは新鮮で風味豊かな状態のまま保存しておくことが可能となる。また箱に入っているため持ち運びしやすく、中の個別漬物包装体の変形を防ぎかつ衛生的である。
【符号の説明】
【０００９】  １  薄片状漬物
２  個別漬物包装体
３  箱状包装体
４  漬物包装体
５  合成樹脂フイルム
６  切り込み
７  合成樹脂緩衝シート
【図１】
0003211844.tif 000003
【図２】
0003211844.tif 000004
【手続補正書】
【提出日】平成29年6月19日(2017.6.19)
【手続補正２】
【補正対象書類名】明細書
【補正対象項目名】０００６
【補正方法】変更
【補正の内容】
【０００６】
【図１】本考案の個別包装体を表した図である。
【図２】本考案の漬物包装体を表した図である。
(57)【要約】      （修正有）【課題】位牌の戒名部分に故人にゆかりのある布遺品等を常時表面に見える形で一体化とすることが可能で、故人を身近により感じながら生活することができる位牌を提供する。【解決手段】故人を偲ぶ遺品となる思い出の布５が、一部に開口部が設けられたケース内部に収納され、開口部からそれらを見ることができる位牌であって、故人を偲ぶ遺品となる思い出の布５が、透明なアクリル板７によって押さえられながら固定され、透明なアクリル板７のおもて側に向ける面に戒名等の文字が表示され、遺品となる思い出の布５と、戒名等の文字を同時に見ることができる。【選択図】図３
0003211848.tif 000002
【実用新案登録請求の範囲】
【請求項１】
故人を偲ぶ遺品となる思い出の布が、一部に開口部が設けられたケース内部に収納され、開口部からそれらを見ることができる位牌。
【請求項２】
故人を偲ぶ遺品となる思い出の布が、透明な素材によって押さえられながら固定されている請求項１の位牌。
【請求項３】
故人を偲ぶ遺品となる思い出の布が、透明な素材によって押さえられながら固定され、透明の素材のおもて側に向ける面に戒名等の文字が表示され、さらに遺品となる思い出の布と、戒名等の文字を同時に見ることができる請求項１の位牌。
【考案の詳細な説明】
【技術分野】
【０００１】本考案は、位牌に係り、特に故人の遺品の布等を戒名と共に常に見ることができ、また、容易に入替もでき、見せる機能を備えた位牌に関するものである。
【背景技術】
【０００２】故人を偲ぶために墓参りをするが、１年に墓参りする回数は限られているため、家庭に仏壇を置き、位牌のみを収納して日々の生活の中で故人を偲ぶことが行われている。
しかし従来の位牌では戒名が記載されているだけであり、故人を身近に感じることはできない。故人をより身近に感じながら生活をする上で、思い出の布遺品使用位牌により身近に感じられるという付加価値がつくと考えられる。
【考案の概要】
【考案が解決しようとする課題】
【０００３】本考案は上記従来の問題点に着目して、位牌の戒名部分に故人にゆかりのある布などを見える形で一体化させることが可能で、故人を身近に感じながら生活することができる位牌の提供を目的とする。
【課題を解決するための手段】
【０００４】図・３  分解図の中の▲５▼部分の思い出の布遺品のスペースにて遺族で布の選択ができ容易に交換・取付けができること
【考案の効果】
【０００５】本考案により、従来の戒名や納骨、思い出の品を収納するというだけの機能とは異なり、位牌の戒名が浮かび上がり、その下に思い出の布遺品等を常に見ることが可能で、その布遺品等は遺族により容易に交換することもできる。故人を偲ぶのにふさわしいあたたかみのある位牌を提供することができ、“いつも一緒”という“繋がり”や“大切さ”などを感じられるような効果を有する。
【図面の簡単な説明】
【０００６】
【図１】本考案の思い出の布遺品使用位牌の全体図（設置図）
【図２】本位牌の本体部分図
【図３】本位牌の分解図
【図４】本位牌用スタンドの図
【符号の説明】▲１▼位牌スタンド設置図
▲２▼位牌本体
▲３▼ラッチ（バネ式）
▲４▼ヒンジ
▲５▼思い出の布遺品など
▲６▼思い出の布遺品などを押さえるツメ
▲７▼アクリル板（思い出の布遺品押さえ）
▲８▼位牌スタンド
【考案を実施するための形態】
【０００７】以下、添付図面参照し、本考案の思い出の布遺品使用位牌を詳細に説明する。
【０００８】図・３に示されるように、本考案の思い出の布遺品使用位牌は、内部に思い出の布遺品など▲５▼が収容できる。思い出の布遺品など▲５▼は、厚みのある板前面に戒名が彫られたアクリル板▲７▼と思い出の布遺品など▲５▼を押さえるツメ▲６▼で閉じることにより押さえられる構造とする。尚、思い出の布遺品などの大きさ・形状などは本体▲２▼の内部に収容できるものであれば、特にその外形形状は限定されるものではない。例えば、アクリル板▲７▼のサイズ内で収まっても可能である。
【０００９】上記にて、厚みのある板前面に戒名が彫られたアクリル板▲７▼と思い出の布遺品など▲５▼を押さえるツメ▲６▼で閉じることにより押さえられたら、手動にて図・２のヒンジ▲４▼の回転を利用して反対側のラッチ（バネ式）▲３▼にて固定し図・３の▲５▼の思い出の布遺品などの前面に▲７▼の戒名が彫られたアクリル板が見えるようにする。
【００１０】図・２の▲３▼のラッチと▲４▼のヒンジにて固定された思い出の布遺品使用位牌を最後に図・４の▲８▼位牌スタンドへ設置する。
尚、本実施形態では、図・１の▲１▼位牌スタンド設置図のように思い出の布遺品使用位牌が縦型に設置されているが、仏壇の大きさにより戒名を横型に彫ることなどにより縦型設置ではなく横型に設けても構わない形状とする。
【図１】
0003211848.tif 000003
【図２】
0003211848.tif 000004
【図３】
0003211848.tif 000005
【図４】
0003211848.tif 000006
(57)【要約】      （修正有）【課題】簡易な構造で、空間を適度な芳香で満たすことができる芳香発散装置を提供する。【解決手段】芳香発散装置は、上部に開口部を有し、液体芳香剤２を収納する容器１と、容器１内の液体芳香剤２に一端が接し、他端が容器１の開口部からでている複数のリード３と、複数のリード３が貫通し、容器１の開口部を塞ぐコルク栓４とを備える。【選択図】図１
0003211864.tif 000002
【実用新案登録請求の範囲】
【請求項１】
上部に開口部を有し、液体芳香剤を収納する容器と、前記容器内の液体芳香剤に一端が接し、他端が前記容器の開口部からでている複数のリードと、前記複数のリードが貫通し、前記容器の開口部を塞ぐコルク栓とを備えることを特徴とする芳香発散装置。
【考案の詳細な説明】
【技術分野】
【０００１】  本考案は、液体芳香剤を吸い上げて揮発させることにより、空間を適度な方向で満たすことができる芳香発散装置に関する。
【背景技術】
【０００２】  近年、生活空間をより快適にする方法として、また心身の疲れを癒すリラクゼーションの方法として、香りの効能が注目を浴びている。一定の空間を芳香で満たす手段としては、従来、香やアロマオイル、アロマキャンドル、ルームスプレーなどがあるが、火や電気を用いるため注意が必要であったり、芳香が弱くなったときには噴霧する必要があったりと、人による管理が不可欠であった。
【考案の概要】
【考案が解決しようとする課題】
【０００３】  本考案は上記の問題を解決するためになされたもので、簡易な構造で、空間を適度な芳香で満たすことができる芳香発散装置を提供することを目的とする。
【課題を解決するための手段】
【０００４】  本考案に係る芳香発散装置は、上部に開口部を有し、液体芳香剤を収納する容器と、容器内の液体芳香剤に一端が接し、他端が容器の開口部からでている複数のリードと、複数のリードが貫通し、容器の開口部を塞ぐコルク栓とを備えることを特徴とする。
【考案の効果】
【０００５】  本考案によれば、複数のリードの本数を調整したり、リードの外部に露出する長さを変えることにより、適度な芳香で設置空間を満たすことが可能となる。
【図面の簡単な説明】
【０００６】
【図１】本考案に係る一実施例を示す図である。
【実施例】
【０００７】  図１において、直径２ｃｍ、高さ５ｃｍ程度の透明なガラス瓶（容器）１内には、例えば、レモン精油とローズマリー精油、及び無水エタノール、水を含む液体芳香剤２が入っている。レモン精油が上方、ローズマリー精油が下方となるようガラス瓶内で、２層に分離している。
ガラス瓶１の上方の開口部は、複数、例えば２本の長さ９ｃｍ程度のリード（葦製棒）３が貫通した直径１．８ｃｍのコルク栓４により塞がれている。
【産業上の利用可能性】
【０００８】    この芳香発散装置は、小瓶に入った香り棒として、例えば、葬儀に参列した方々に個人が生きてきたいままでの人生の教訓、指針とかまた優しい心で地域の方々に接して生活してきたことの感謝の気持ちを、香りに託した香り棒として参列した方に渡し、個人を記憶に残して名残惜しむというような用途として使用される。
【符号の説明】
【０００９】１    容器
２    液体芳香剤
３    リード
４    コルク栓
【図１】
0003211864.tif 000003
(57)【要約】      （修正有）【課題】節約が可能なティッシュペーパーを提供する。【解決手段】従来のティッシュペーパーボックス１に、１／３巾の狭いティッシュペーパー６と２／３巾の広いティッシュペーパー７を一緒に収容し、どちらも一枚づつ取り出すことが出来るようにする。１／３巾の狭いティッシュペーパーを使った場合は従来のティッシュペーパーの約７０％を節約可能になり、２／３巾の広いティッシュペーパーを使っても約３０％の節約が可能になる。【選択図】図２
0003211866.tif 000002
【実用新案登録請求の範囲】
【請求項１】
ボックス入りティッシュペーパーは、１つのティッシュペーパーボックスの中に、横巾の狭い異なったサイズのティッシュペーパーが、複数束収容されていて、前記複数束はティッシュペーパーボックス内に、仕切られること無く収容され、取り出し口は、ティッシュペーパーボックスの上面に１つだけ設けられ、大きいサイズのティッシュペーパーも、小さいサイズのティッシュペーパーも１つの同じ取り出し口から、どちらも１枚づつ自由に取り出すことが出来るようにして１枚取り出すと自動的に１枚が飛び出してくるポップアップ式の折り方で収容されていることを特徴とするボックス入りティッシュペーパー。
【請求項２】
前記複数束は、１つのティッシュペーパーボックスに、横巾の狭い１／３巾と、２／３巾のティッシュペーパーで構成され、又は１／３巾のみ３束で構成する請求項１記載のボックス入りティッシュペーパー。
【考案の詳細な説明】
【技術分野】
【０００１】本考案は、ティッシュペーパーを、ボックス内に引き出し可能に収容したボックス入りティッシュペーパーに関するものである。
【背景技術】
【０００２】従来のボックス入りティッシュペーパーは、ボックスのサイズは各種あるが、例えば特許文献１に示すように、中に収容されるティッシュペーパーは、各種ボックス内に１サイズのティッシュペーパーが収容される。
【先行技術文献】
【特許文献】
【０００３】
【特許文献１】特開２０１６−０３０６０９
【考案の概要】
【考案が解決しようとする課題】
【０００４】従来のボックス入りティッシュペーパーは、小さな汚れ、少ない物を拭いたり取ったりする場合、サイズが大き過ぎて無駄が多く「もったいない！！」と感じる。又、一度取り出すと勿体なくても「チギッタり」「切ったり」する事が難しく、切れない。
【課題を解決するための手段】
【０００５】従来のティッシュペーパーボックスに巾の狭いティッシュペーパーを収容する。例えば従来の巾より狭い１／３巾のティッシュペーパーを３束収容する。或いは、巾の狭い従来の１／３巾のティッシュペーパーと巾の広い従来の２／３巾のティッシュペーパーを一緒に収容する。【０００６】取り出し口は従来のままを活用する。
【考案の効果】
【０００７】上記のように、この考案したティッシュペーパーを使用する事により、ティッシュペーパーを節約する事が出来る利点が有る。例えば１／３巾の狭いティッシュペーパーを使う事に依り、約７０％もの従来のティッシュペーパーの節約になり、２／３巾の広いティッシュペーパーを使っても約３０％の節約が出来る。そして、ティッシュペーパーの原料である天然資源のパルプをも節約できる利点を有するエコ、エコティッシュペーパーである。
【図面の簡単な説明】
【０００８】
【図１】  従来のボックスティッシュペーパー用を示す図である。
【図２】  本考案のボックス入りティッシュペーパーを示す図である。
【図３】  収容状態を示す図である（ポップアップ式）
【図４】  １／３巾の狭い方のティッシュペーパーを引き出す場合の図である。
【図５】  ２／３巾の広い方のティッシュペーパーを引き出す場合の図である。
【考案を実施するための形態】
【０００９】次に図面を用いて本考案の実施形態を説明する。
【００１０】図２に示すように、本考案のボックス入り節約出来るエコティッシュペーパーは、図１に示す収容ボックス１と、この収容ボックス１に取り出し可能に収容されたティッシュペーパーは６と、７を有している。
【００１１】このボックス入り節約出来るエコティッシュペーパーは、図４、図５で示すように、巾の狭いサイズの６と広いサイズの７のティッシュペーパーから構成され、６は７の半分の巾を有している。
【００１２】図３はボックス内の収容状態を示すものでどちらも一枚引き出すと次のティッシュペーパーが一枚出てくる従来と同じポップアップ式を示す。
【００１３】図４は１／３巾の狭いティッシュペーパーを取り出した場合の図である。この巾の狭い６のティッシュペーパーは小さな汚れや、小さな物を拭いたり、取ったりするのに非常に使いやすく便利である。
【００１４】図５は２／３巾の広いティッシュペーパーを取り出した場合の図で有る。この２／３巾のティッシュペーパーを使用しても従来同様に使用出来る。
【００１５】どちらを使っても節約出来、エコな利点を有す。
【００１６】工業用、接客用等の作業用ティッシュ、拭取紙にも応用出来る利点が有る。
【符号の説明】
【００１７】１．ティッシュペーパーボックス
６．巾の狭い１／３サイズのティッシュペーパー
７．巾の広い２／３サイズのティッシュペーパー
【図１】
0003211866.tif 000003
【図２】
0003211866.tif 000004
【図３】
0003211866.tif 000005
【図４】
0003211866.tif 000006
【図５】
0003211866.tif 000007